(57)【要約】【課題】レンズバレルの組付けが容易にでき且つフォーカス調整と共に傾き調整や芯出し調整が可能なレンズ駆動装置、そのレンズ駆動装置を搭載したカメラ及びカメラ付き携帯電話を提供する。【解決手段】本発明のレンズ駆動装置１において、レンズ支持体７はヨーク３の内周側に配置してあり且つ内周にレンズバレル２０が装着されるものであり、コイル１５に通電して生じる電磁力によりレンズ支持体７をレンズの光軸方向に移動するようになっており、レンズバレル２０は後端面に後方に突設する固定用突部２６を有しており、レンズ支持体７は、光軸方向後端部に接着剤が注入される接着剤溝２２を有し、光軸方向前側から挿入したレンズバレル２０の固定用突部２６を接着剤溝２２に挿入してレンズバレルを接着固定可能にしてある。【選択図】図１
2010008446.tif 000002
【特許請求の範囲】
【請求項１】
環状のヨークと、外周にコイルが固定されたレンズ支持体と、複数のマグネットと、スプリングと、ベースとを備え、各マグネットはヨーク外周壁の内周に配置してあり、レンズ支持体はヨークの内周側に配置してあり且つ内周にレンズバレルが装着されるものであり、コイルはマグネットの内周でマグネットに対面して配置されており、スプリングはベース又はヨークと、レンズ支持体との間に設けてベースに対してレンズ支持体を光軸方向の前後に移動自在に支持しており、コイルに通電して生じる電磁力によりレンズ支持体をレンズの光軸方向に移動するレンズ駆動装置であって、
レンズバレルは後端面に後方に突設する固定用突部を有しており、レンズ支持体は、光軸方向後端部に接着剤が注入される接着剤溝を有し、光軸方向前側から挿入したレンズバレルの固定用突部を接着剤溝に挿入してレンズバレルを接着固定可能にしてあることを特徴とするレンズ駆動装置。
【請求項２】
レンズ支持体は周方向に沿って間隔をあけて設けた複数のコイル固定部を有し、接着剤溝は、隣り合うコイル固定部間に設けてあることを特徴とする請求項１に記載のレンズ駆動装置。
【請求項３】
レンズバレルとレンズ支持体との一方は前側端に補助固定用突部を有し、他方は前側端に補助固定用突部の係合溝を有し、係合溝内に補助固定用突部を係合して接着固定可能としてあることを特徴とする請求項２に記載のレンズ駆動装置。
【請求項４】
請求項１〜３の何れか一項に記載のレンズ駆動装置にレンズバレルを固定したものを備えることを特徴とするカメラ。
【請求項５】
請求項４に記載のカメラを搭載したことを特徴とするカメラ付き携帯電話。
【発明の詳細な説明】
【技術分野】
【０００１】
本発明は、小型カメラに用いられるオートフォーカス用のレンズ駆動装置、そのレンズ駆動装置を搭載したカメラ及びカメラ付き携帯電話に関する。
【背景技術】
【０００２】
特許文献１には、ベースに対してレンズ支持体をスプリングで支持したレンズ駆動装置が開示されており、レンズ駆動装置の組立て後にレンズバレルをレンズ支持体の内周に取り付けることが開示されている。
【０００３】
この特許文献１には直接の記載はないが、一般にレンズ支持体の内周面にはねじ溝が形成されており、レンズ駆動装置の組立て後に、レンズ支持体の内側にレンズバレルを螺合により取り付けている。
【０００４】
レンズバレルを取り付けるときには、レンズバレルは、フォーカス調整を行いつつレンズ支持体の内周に螺合するが、螺合するときにレンズ支持体が回転するとスプリングを損傷するおそれがあるので、回転防止治具を用いてレンズ支持体の回転を防止すると共に筺体やスプリングには回転防止治具を取り付ける為の加工を必要としていた。
【０００５】
【特許文献１】特開２００８−３３２５２号公報
【発明の開示】
【発明が解決しようとする課題】
【０００６】
しかし、上述した従来のレンズ駆動装置では、レンズバレルを組付けるときには、レンズ支持体の回転を防止する回転防止用治具を用いて、レンズ支持体が回らないように固定するので、組立て作業に手間がかかるという問題があった。また、ねじ螺合によりレンズバレルをレンズ支持体に固定する場合には、レンズバレルの傾き調整や芯出し調整（センター調整）ができないとう問題があった。
【０００７】
そこで、本発明は、レンズバレルの組付けが容易にでき且つフォーカス調整と共に傾き調整や芯出し調整が可能なレンズ駆動装置、そのレンズ駆動装置を搭載したカメラ及びカメラ付き携帯電話の提供を目的とする。
【課題を解決するための手段】
【０００８】
請求項１に記載の発明は、環状のヨークと、外周にコイルが固定されたレンズ支持体と、複数のマグネットと、スプリングと、ベースとを備え、各マグネットはヨーク外周壁の内周に配置してあり、レンズ支持体はヨークの内周側に配置してあり且つ内周にレンズバレルが装着されるものであり、コイルはマグネットの内周でマグネットに対面して配置されており、スプリングはベース又はヨークと、レンズ支持体との間に設けてベースに対してレンズ支持体を光軸方向の前後に移動自在に支持しており、コイルに通電して生じる電磁力によりレンズ支持体をレンズの光軸方向に移動するレンズ駆動装置であって、レンズバレルは後端面に後方に突設する固定用突部を有しており、レンズ支持体は、光軸方向後端部に接着剤が注入される接着剤溝を有し、光軸方向前側から挿入したレンズバレルの固定用突部を接着剤溝に挿入してレンズバレルを接着固定可能にしてあることを特徴とする。
【０００９】
請求項２に記載の発明は、請求項１に記載の発明において、レンズ支持体は周方向に沿って間隔をあけて設けた複数のコイル固定部を有し、接着剤溝は、隣り合うコイル固定部間に設けてあることを特徴とする。
【００１０】
請求項３に記載の発明は、請求項２に記載の発明において、レンズバレルとレンズ支持体との一方は前側端に補助固定用突部を有し、他方は前側端に補助固定用突部の係合溝を有し、係合溝内に補助固定用突部を係合して接着固定可能としてあることを特徴とする。
【００１１】
請求項４に記載の発明は、請求項１〜３の何れか一項に記載のレンズ駆動装置にレンズバレルを固定したものを備えることを特徴とするカメラである。
【００１２】
請求項５に記載の発明は、請求項４に記載のカメラを搭載したことを特徴とするカメラ付き携帯電話である。
【発明の効果】
【００１３】
請求項１に記載の発明によれば、レンズ駆動装置にレンズバレルを組付けるときには、レンズ支持体の接着剤溝に接着剤を注入し、レンズバレルをピンセット等の治具で把持してレンズ支持体の内周にレンズバレルを挿入し、レンズバレルの後端に設けてある固定用突部をレンズ支持体の接着剤溝内に位置させて、レンズバレルのフォーカス調整をしながら、レンズバレルの傾き調整や芯出し調整を行い、その位置で接着剤を硬化することで、レンズバレルをレンズ支持体に固定する。
【００１４】
レンズバレルのフォーカス調整はレンズバレルの光軸方向（前後）の位置を調整し、芯出し調整はレンズバレルの半径方向の位置を調整し、傾き（ｔｉｌｔ）調整は、レンズバレルを光軸に対して傾けることにより行うことができる。このようなレンズバレルの調整に伴って、レンズバレルの後端に設けた固定用突部をレンズ支持体の接着剤溝内で三次元的に位置を変え、調整が終了したところで接着剤溝内に溜っている接着剤を硬化することによりその位置でレンズバレルをレンズ支持体に固定する。
【００１５】
したがって、本発明によれば、レンズバレルの固定用突部をレンズ支持体の接着剤溝内で接着剤により固定する構成であるから、レンズバレルのレンズ支持体への組付けが容易にでき且つフォーカス調整と共に傾き調整や芯出し調整ができる。
【００１６】
しかも、レンズバレルをレンズ支持体に組付けるときに、レンズバレルのフォーカス調整、傾き調整、芯出し調整が一度にでき、その位置で接着剤によりそのまま固定することができる。
【００１７】
また、レンズバレルは従来のようにレンズ支持体に螺合により取り付けるものではないので、スプリング等の構成部品に回転防止治具取付け穴等の加工を施す必要がないので、設計の自由度が高いと共に部品強度を高めることができる。
【００１８】
請求項２に記載の発明によれば、請求項１に記載の作用効果を得ることができると共に、レンズ支持体の半径方向の寸法を大きくすることなく接着剤溝を設けることができる。
【００１９】
請求項３に記載の発明によれば、請求項２に記載の作用効果を得ることができると共に、レンズバレルは光軸方向の後側端部と前側端部とで固定するので、レンズ支持体に強固に固定でき且つレンズ支持体に対するずれを防止できる。
【００２０】
請求項４に記載の発明によれば、請求項１〜３の何れか一項に記載の作用効果を得ることができるカメラを提供できる。
【００２１】
請求項５に記載の発明によれば、請求項４に記載の作用効果を奏するカメラ付き携帯電話を提供できる。
【発明を実施するための最良の形態】
【００２２】
以下に、添付図面を参照して本発明の実施の形態を説明する。図１は本発明の実施の形態に係るレンズ駆動装置にレンズバレルを組付けた状態を示し、（ａ）はレンズ駆動装置の角部を切断して示す斜視図であり、（ｂ）は（ａ）のＡ―Ａ断面図であり、図２はレンズ駆動装置の角部においてヨークとレンズ支持体とベースとを抜き出して示す斜視図であり、図３はレンズバレルの斜視図であり、図４はレンズ駆動装置を光軸方向前側から見た平面図であり、図５は本発明の実施の形態に係るレンズ駆動装置の分解斜視図であり、図６はレンズバレルを組付けたレンズ駆動装置を角部と辺部との位置で切断して示す縦断面図である。
【００２３】
本実施の形態に係るレンズ駆動装置１は、携帯電話に組み込まれるオートフォーカスカメラのレンズ駆動装置である。このレンズ駆動装置１は、図５及び図６に示すように、環状のヨーク３と、レンズ支持体７と、前側スプリング９と、後側スプリング１１と、ベース５とを備えており、レンズ支持体７には、外周にコイル１５が固定されている。ヨーク３と後側スプリング１１との間には後側絶縁体（後側スペーサ）１７が配置されており、ヨーク３と前側スプリング９との間には前側スペーサ１８が配置されている。このレンズ駆動装置１は、縦横が約７ｍｍ、高さが約３ｍｍで非常に小さいものである。
【００２４】
ヨーク３は前側から見て外周が平面視四角形であり、内周が平面視円形になっており、ヨーク３の角部１４では、外周壁３ａと、外周壁３ａの内周側で周方向に間隔をあけて配置した内側壁３ｂと、外周壁３ａと内側壁３ｂとを連結する連結壁３ｃとからなり、外周壁３ａと内側壁３ｂと連結壁３ｃとで断面がコ字形状を成している。内側壁３ｂは連結壁３ｃに連続する部分を折り曲げて形成してあり、その周方向両側には折り曲げを容易にする切込み部１６が形成されている。
【００２５】
ヨーク３の各角部１４において、外周壁３ａの内周面にはマグネット１３が固定されている。マグネット１３は、角部１４のみに設けてある。
【００２６】
レンズ支持体７は、ヨーク３の内周側に配置して前側スプリング９と後側スプリング１１とで支持してあり、その内周にレンズバレル（図１及び図３参照）２０が組付けてあり、ヨーク３の内周側を光軸方向（前後方向）に移動自在に設けられている。
【００２７】
コイル１５はレンズ支持体７に一体に設けたコイル固定部１９に接着固定されている。コイル固定部１９は、図１（ａ）及び図２に示すように、コイル１５の後端面を受けるコイル載置部１９ａと、コイル１５の内周側面を受けるコイル内周受部１９ｂとを有し、コイル内周受部１９ｂはヨーク内側壁３ｂと干渉する位置まで半径方向外方に突設して設けてあり、コイル載置部１９ａはヨーク内側壁３ｂよりも半径方向外側に突設している。
【００２８】
図１（ｂ）及び図２に示すように、レンズ支持体７の後端部において、隣り合うコイル固定部１９、１９間には、接着剤が注入される接着剤溝２２が形成されている。この接着剤溝２２内には、後述するレンズバレル２０の固定用突部２６を配置して、固定用突部２６を接着剤溝２２に接着固定するものである。
【００２９】
コイル１５は、ヨーク外周壁３ａの内周側に配置するが、マグネット１３が配置されているヨーク３の角部１４では、マグネット１３と内側壁３ｂとの間に位置し、レンズ支持体７と共にヨーク３内を前後方向に移動するようになっている。
【００３０】
コイル１５は、コイル載置部１９ａとコイル内周受部１９ｂとの２面に各々接着剤で固定されている。
【００３１】
図１（ａ）及び図５に示すように、ベース５には後側スプリング１１の外周側部１１ｂが載置されており、後側スプリング１１の外周側部１１ｂには絶縁体（スペーサ）１７を介してヨーク３が載置されている。
【００３２】
図５に示すように、前側スプリング９は、外周側部９ｂが環状の板ばねであり、内周側部９ａと外周側部９ｂとが設けてあり、内周側部９ａはレンズ支持体７のコイル固定部１９に取り付けてあり、外周側部９ｂはヨーク連結壁３ｃのコイル１５側で、ヨーク連結壁３ｃと前側スペーサ１８との間に挟持して固定されている。内周側部９ａと外周側部９ｂとは弾性変形可能な腕部９ｃにより連結してある。
【００３３】
後側スプリング１１は全体として環状の板ばねであるが、本実施の形態では、左右に分割した一方側部３０と他方側部３２とから構成されている。後側スプリング１１の各外周側部１１ｂ、１１ｂは、絶縁体（スペーサ）１７を介してベース５とヨーク３との間に挟持されており、絶縁体１７は後側スプリング１１とヨーク３との間の電気的絶縁を図っている。各内周側部１１ａ、１１ａは、レンズ支持体７の後端に取り付けてある。後側スプリング１１の各内周側部９ａと外周側部９ｂとは弾性変形可能な腕部１１ｃにより連結してある。
【００３４】
本実施の形態では、後側スプリング１１を構成する一方側部３０には端子３３が形成されており、他方側部３２には端子３５が形成されて各端子３３、３５が電源供給端子に接続されるようになっている。尚、一方側部３０と他方側部３２とは、各々コイル１５にハンダ付け等により電気的に接続されており、後側スプリング１１からコイル１５に通電するようになっている。
【００３５】
図３に示すように、レンズバレル２０は、前端面に等間隔に４つの凹（穴）を形成して治具の差し込み穴２５としてあり、周面には半径方向外方に突設した嵌合部２４が周方向に間隔をあけて設けてある。この嵌合部２４は、図１（ａ）に示すように、レンズ支持体７のコイル固定部１９、１９間に僅かな隙間を形成するようにして配置される。
【００３６】
嵌合部２４の後側端には、光軸方向後方に突設した固定用突部２６が設けてあり、この固定用突部２６は、レンズ支持体７の接着剤溝２２内に前後及び半径方向に移動可能に配置され且つ接着溝２２内で着接固定されるようになっている。
【００３７】
次に、本発明に係るレンズ駆動装置１にレンズバレル２０を組付ける方法、作用及び効果について説明する。
【００３８】
本発明に係るレンズ駆動装置１にレンズバレル２０を組付けるときには、レンズ支持体７の接着剤溝２２に接着剤を注入し、レンズバレル２０の治具差し込み穴２５に、例えばピンセットを差し込んでレンズバレル２０を摘み、レンズ支持体７の内周側に挿入する。そして、レンズバレル２０の固定用突部２６をレンズ支持体７の接着剤溝２２内に位置させ、レンズバレル２０のフォーカス調整をしながら、レンズバレル２０の傾き調整や芯出し調整を行い、その位置で接着剤溝２２の接着剤を硬化させて、接着剤溝２２に固定用突部２６を固定することでレンズバレル２０をレンズ支持体７に固定する。
【００３９】
接着剤は、瞬間接着剤でありレンズバレル２０の位置調整後に数秒で固定するものであっても良いし、又は加熱や冷却により硬化するものであっても良い。
【００４０】
レンズバレル２０のフォーカス調整はレンズバレル２０の光軸方向（前後）の位置を調整し、芯出し調整はレンズバレル２０を半径方向にずらして位置を調整し、傾き（ｔｉｌｔ）調整は、レンズバレルを光軸に対して傾けることにより行うことができる。このようなレンズバレルの調整は、レンズバレル２０の後端に設けた固定用突部２６をレンズ支持体７の接着剤溝２２の範囲内で三次元的に位置を変えて行い、そのまま固定用突起２６を接着剤溝２２内に保持し、その位置で接着剤溝２２内に溜っている接着剤を硬化することにより固定される。
【００４１】
本発明によれば、レンズバレル２０の固定用突部２６をレンズ支持体７の接着剤溝２２内で接着剤により固定する構成であるから、レンズバレル２０のレンズ支持体７への組付けが容易にでき且つフォーカス調整と共に傾き調整や芯出し調整ができる。
【００４２】
しかも、レンズバレル２０をレンズ支持体７に組付けるときに、レンズバレル２０のフォーカス調整、傾き調整、芯出し調整が一度にでき、その位置で接着剤によりそのまま固定することができる。
【００４３】
また、レンズバレル２０は従来のようにレンズ支持体に螺合により取り付けるものではないので、レンズ支持体７や前側スプリング９等の構成部品に回転防止治具取付け穴等の加工を施す必要がないので、設計の自由度が高いと共に部品強度を高めることができる。
【００４４】
接着剤溝２２は、レンズ支持体７の周方向において、隣り合うコイル固定部１９、１９間に設けてあるから、レンズ支持体７の半径方向の寸法を大きくすることなく設けることができる。
【００４５】
本実施の形態では、レンズ支持体７が回転しようとすると、図１（ａ）に示すように、レンズ支持体７のコイル固定部１９がヨーク内側壁３ｂの周方向端面に当接してレンズ支持体７の回転が阻止される。従って、カメラ付き携帯電話の揺れや落下等によりレンズ駆動装置１に外力が作用した場合にも、レンズ支持体７がヨーク３に対して回転するのを防止できるから、落下等によるスプリング９、１１の損傷を防止できる。
【００４６】
ヨーク３の内部に前側スプリング９を収めているので、前側スプリング９をヨーク３の外面に固定する為に従来使用していたフレームが不要になり、部品点数の削減ができると共にフレームがない分、レンズ光軸方向の寸法を小さくでき、更なる小型化を図ることができる。
【００４７】
レンズバレル２０は、前面に複数の治具の差し込み穴２５を形成しているので、汎用のピンセット等でレンズバレル２０を容易に掴むことができ、組付け作業がし易い。
【００４８】
また、従来はレンズバレル２０の前面にレンズ把持用の突起を設けていたが、これにかえて本実施の形態では前面に設けた差し込み穴２５としているので、レンズバレル２０の光軸方向寸法を小さくできる。
【００４９】
以下に、本発明の他の実施の形態を説明するが、以下に説明する実施の形態において、上述した実施の形態と同一の作用効果を奏する部分には同一の符号を付することにより、その部分の詳細な説明を省略し、以下の説明では上述した実施の形態と異なる点を主に説明する。
【００５０】
図７に第２実施の形態を示す。図７は第２実施の形態に係るレンズ駆動装置１にレンズバレル２０を組付けた状態を示し、（ａ）はレンズ駆動装置１の角部１４を切断して示す斜視図であり、（ｂ）は（ａ）に示すＢ部を外周側から見た正面図である。
【００５１】
この第２実施の形態では、レンズ支持体７のコイル固定部１９には、周方向の両側で且つ光軸方向前端に係合溝３１形成してあり、レンズバレル２０の前端には周方向に突設する補助固定用突部３３が設けてあり、レンズバレル２０をレンズ支持体７の内周に挿入したときに、係合溝３１に補助用突部３３が係合するものである。そして、この第２実施の形態では、レンズバレル２０を接着固定するときには、接着剤溝２２で固定用突部２６を固定した後、係合溝３１と補助用突部３３との間に接着剤を注入して固定する。
【００５２】
この第２実施の形態では、上述した第１実施の形態と同様の作用効果を奏すると共に、レンズバレル２０は光軸方向の後側端部と前側端部とで固定するので、レンズ支持体７に強固に固定でき且つレンズ支持体７に対するずれを防止できる。特に、落下等の外力が作用した場合にもレンズバレル２０がレンズ支持体７に対して傾いたり、ずれたりするのを防止できる。
【００５３】
本発明は、上述した実施の形態に限らず、本発明の要旨を逸脱しない範囲で種々変形可能である。
【００５４】
例えば、固定用突起２６は、レンズバレル２０の４つの全ての嵌合部２４に設けることに限らず、２つの嵌合部２４又は３つの嵌合部２４に設けるものであっても良い。
【００５５】
第２実施の形態において、補助用固定用突部３３は、レンズバレル２０の少なくとも一つの嵌合部２４に設け、レンズ支持体７にはこれに対応して少なくとも一つの係合溝３１を設けるものであっても良い。
【００５６】
また、第２実施の形態では、レンズバレル２０に係合溝３１を設け、レンズ支持体７のコイル固定部１９に補助固定用突部３３を設けても良い。
【図面の簡単な説明】
【００５７】
【図１】本発明の実施の形態に係るレンズ駆動装置にレンズバレルを組付けた状態を示し、（ａ）はレンズ駆動装置の角部を切断して示す斜視図であり、（ｂ）は（ａ）のＡ―Ａ断面図である。
【図２】レンズ駆動装置の角部においてヨークとレンズ支持体とベースとを抜き出して示す斜視図である。
【図３】レンズバレルの斜視図である。
【図４】レンズ駆動装置を光軸方向前側から見た平面図である。
【図５】本発明の実施の形態に係るレンズ駆動装置の分解斜視図である。
【図６】レンズバレルを組付けたレンズ駆動装置を角部と辺部との位置で切断して示す縦断面図である。
【図７】第２実施の形態に係るレンズ駆動装置にレンズバレルを組付けた状態を示し、（ａ）はレンズ駆動装置の角部を切断して示す斜視図であり、（ｂ）は（ａ）に示すＢ部を外周側から見た正面図である。
【符号の説明】
【００５８】
１      レンズ駆動装置
３      ヨーク
５      ベース
７      レンズ支持体
９      前側スプリング（スプリング）
１１    後側スプリング（スプリング）
１３    マグネット
１５    コイル
１９    コイル固定部
２０    レンズバレル
２２    接着剤溝
２６    固定用突起
３１    係合溝
３３    補助固定用突部
【図１】
2010008446.tif 000003
【図２】
2010008446.tif 000004
【図３】
2010008446.tif 000005
【図４】
2010008446.tif 000006
【図５】
2010008446.tif 000007
【図６】
2010008446.tif 000008
【図７】
2010008446.tif 000009